(57)【要約】      （修正有）【課題】貨幣カセットの重量と収納されている貨幣の重量を合わせると数十キロとなる場合があり、交換作業者の負担となっている。【解決手段】硬貨が投入される硬貨入金部と、前記硬貨入金部から投入された硬貨を識別する硬貨識別部と、前記硬貨識別部の識別結果から正常な硬貨と判定された硬貨を一時保存する一時保留部と、前記一時保留部に保存された硬貨の金種とその枚数を記憶する記憶部と、操作者による入金金額の確認によって、前記一時貯留部の硬貨を金種混合で収納する収納部を備えた売上金入金機であって、前記記憶部に記憶した前記一時保留部の硬貨の金種とその枚数を用いて前記収納部へ収納する硬貨の全体重量を算出し、予め定めた最大重量と比較することによって入金取引制限等を行うように構成した。【選択図】図１４
2015108909.tif 000002
【特許請求の範囲】
【請求項１】
硬貨が投入される硬貨入金部と、
前記硬貨入金部から投入された硬貨を識別する硬貨識別部と、
前記硬貨識別部の識別結果から正常な硬貨と判定された硬貨を一時保存する一時保留部と、
前記一時保留部に保存された硬貨の金種とその枚数を記憶する記憶部と、
操作者による入金金額の確認によって、前記一時貯留部の硬貨を金種混合で収納する収納部を備えた売上金入金機であって、
前記記憶部に記憶した前記一時保留部の硬貨の金種とその枚数を用いて、前記収納部へ収納する硬貨の全体重量を算出することを特徴とする売上金入金機。
【請求項２】
請求項１記載の売上金入金機であって、
前記記憶部は、前記収納部の硬貨の全体重量である硬貨収納重量を記憶し、入金取引毎に新たに収納する硬貨の全体重量を加算することを特徴とする売上金入金機。
【請求項３】
請求項２に記載の売上金入金機であって、
硬貨収納容量を制限するための硬貨収納重量制限値入力画面を表示する表示部と、硬貨収納重量制限値を入力する入力部とを備え、前記入力された硬貨収納重量制限値を前記記憶部に記憶することを特徴とする売上金入金機。
【請求項４】
請求項３に記載の売上金入金機であって、
前記記憶部に記憶されている硬貨収納重量と、前記記憶部に記憶されている硬貨収納重量制限値を比較し、前記硬貨収納重量が前記硬貨収納容量制限値を超えた場合に、その旨を操作者に通知することを特徴とする売上金入金機。
【請求項５】
請求項４に記載の売上金入金機であって、
前記硬貨収納重量が前記硬貨収納容量制限値を超えた場合に、以降の入金処理を停止することを特徴とする売上金入金機。
【請求項６】
請求項４に記載の売上金入金機であって、
前記収納部の硬貨の収納枚数が最大収納枚数に達していない状態において、前記硬貨収納重量が前記硬貨収納容量制限値を超えた場合に、以降の入金処理を停止するか、あるいは、入金処理を継続するかを選択可能としたことを特徴とする売上金入金機。
【請求項７】
請求項３に記載の売上金入金機であって、
前記記憶部に記憶されている硬貨収納重量と、前記記憶部に記憶されている硬貨収納重量制限値を比較し、その差分の重量に相当する金種別の硬貨の枚数を表示することを特徴とする売上金入金機。
【請求項８】
請求項１〜７のいずれかに記載の売上金入金であって、
前記記憶部に記憶されている硬貨収納重量を硬貨カセット交換操作時に表示する前記表示部と、表示された硬貨収納重量をもとに利用者がカセット交換を実施するか実施しないかの選択を入力する前記入力部と、を備えることを特徴とする売上金入金機。
【発明の詳細な説明】
【技術分野】
【０００１】
本発明は、小売店舗等に設置される売上金入金機に関する。
【背景技術】
【０００２】
スーパーやコンビニエンスストア等の小売店舗において、店舗の売上金である貨幣（紙幣、硬貨）を収納する売上金入金機が用いられている。売上金は、売上金入金機の内部に装填された貨幣カセット（紙幣カセットおよび硬貨カセット）に収納されており、一定期間経過時または貨幣カセット収納容量に応じて当該貨幣カセットが回収され、新たな貨幣カセットを売上金入金機に装填する。その際、貨幣カセットに収納される貨幣の枚数を制御する必要がある。
【０００３】
本技術分野の背景技術として、特開２００５−３０９９０３号公報（特許文献１）がある。この公報には、「取扱者に応じて収納部に収納する硬貨の収納量を任意に設定でき、その設定を直感的に把握しやすい硬貨の重さで容易に設定できる硬貨処理機を提供する。」と記載されている。
【先行技術文献】
【特許文献】
【０００４】
【特許文献１】特開２００５−３０９９０３号公報
【発明の概要】
【発明が解決しようとする課題】
【０００５】
売上金入金機の運用において、貨幣カセットに収納した貨幣を、貨幣カセットを取り出し交換することで回収するが、貨幣カセットの重量と収納されている貨幣の重量を合わせると数十キロとなる場合があり、交換作業者の負担となっている。貨幣カセットの収納容量は、通常カセット内へ収納した枚数を加算することやカセット内の貨幣収納量の位置を透過センサ等により検出する方式が用いられている。
【０００６】
貨幣カセット交換時に、貨幣の収納されたカセットを交換することは重量物を持つことになり作業者の負担となるが、貨幣カセットの重量は、紙幣カセットの重さはほぼ枚数に比例するが、硬貨カセットの重さは収納されている硬貨により大きく異なり、カセット交換の度に変化してしまう。また、硬貨カセットの交換時の重量を軽くするために枚数による制限をした場合、軽い硬貨が多く収納された場合非効率的となる。
【０００７】
上記特許文献１に記載された構成の場合、硬貨金種別の収納箱が用意され、あらかじめ各金種別の箱ごとに収納重量を規定しているが、売上金入金機のように一つの収納庫（硬貨カセット）に金種混合で収納される場合、金種ごとに硬貨の重さが異なるため、同様の制御は行えない。本発明では、一つの硬貨カセットに硬貨を混合収納する売上金入金機おいて、カセット交換時の硬貨カセット収納重量を制御する装置の提供を目的とする。
【課題を解決するための手段】
【０００８】
上記課題を解決するために、本発明は、硬貨が投入される硬貨入金部と、硬貨入金部から投入された硬貨を識別する硬貨識別部と、硬貨識別部の識別結果から正常な硬貨と判定された硬貨を一時保存する一時保留部と、一時貯留部の硬貨を金種混合で収納する収納部を備えた売上金入金機であって、前記収納部へ硬貨を収納する際に、混合硬貨の収納重量を算出することを特徴とする売上金入金機としたことにある。
【０００９】
上述のような構成としたことで、投入した硬貨を混合収納部へ収納する際に硬貨の収納重量を取得することが出来るため、収納する硬貨の重量を事前に定めた最大重量以下にすることが可能となり、利用形態や操作者の要求に応じた最大重量の硬貨カセット運用とすることができる。
【発明の効果】
【００１０】
本発明によれば、一つの収納庫に硬貨を混合収納する売上金入金機において、硬貨カセット交換時の硬貨カセット重量を知ることで、交換作業者の力量に応じた硬貨カセット重量での交換が可能となり、重量物を取り扱う際に無理のない作業が可能となる。
【００１１】
また、重量を制限するために装置に実装する硬貨カセットの大きさを変更する必要がなく、収納容量の多い硬貨カセットのみを用意しておくだけで、設置店舗に応じた運用を行うことが可能となる。
【図面の簡単な説明】
【００１２】
【図１】売上金入金機の構成例を示した図である。
【図２】売上金入金機の機能ブロック図である。
【図３】売上金入金機の操作に使用されるカードの例を示す図である。
【図４】各硬貨毎および硬貨カセット重量テーブルを示す図である。
【図５】硬貨カセット収納重量を設定するフローチャートである。
【図６】硬貨カセット収納重量画面を示す図である。
【図７】硬貨カセット収納重量設定確認画面を示す図である。
【図８】初期処理を示すフローチャートである。
【図９】スタンバイ画面を示す図である。
【図１０】実施例１における、入金処理を示すフローチャートである。
【図１１】売上金投入指示画面を示す図である。
【図１２】処理中画面を示す図である。
【図１３】入金額表示画面を示す図である。
【図１４】硬貨を硬貨カセットに搬送させる処理を示すフローチャートである。
【図１５Ａ】フル警告画面を示す図である。
【図１５Ｂ】フル警告画面を示す図である。
【図１５Ｃ】フル警告画面を示す図である。
【図１５Ｄ】フル警告画面を示す図である。
【図１６】実施例１における、貨幣カセットの回収等を示すフローチャートである。
【図１７】収納部引出指示画面を示す図である。
【図１８】収納部セット指示画面を示す図である。
【図１９】実施例１における、集計処理を示すフローチャートである。
【図２０】実施例２における、貨幣カセットの回収等を示すフローチャートである。
【図２１】実施例２における、硬貨カセット重量確認画面を示す図である。
【発明を実施するための形態】
【００１３】
以下、実施例を図面を用いて説明する。
【実施例１】
【００１４】
本実施例の売上金入金機を説明する前に、一般的な売上金入金機について説明する。
【００１５】
スーパーやコンビニエンスストア等の小売店舗において、店舗の一日の売上金である貨幣（紙幣、硬貨）を売上金入金機に入金する。入金された貨幣は計数され、店舗の担当者により、入金確定操作が行われた後に、売上金入金機の内部に装填された貨幣カセット（紙幣カセットおよび硬貨カセット）に収納される。売上金入金機を警備会社が管理運用する場合は、貨幣カセット内に収納された貨幣はその所有権が警備会社に移転することとなるため、店舗の担当者は貨幣カセット自体、もしくはその内部の貨幣にアクセスすることは不可能な運用としている。売上金入金機を店舗自身で管理運用する場合は、店舗の係員等による運用管理により貨幣カセットおよびその内部の貨幣にアクセスが可能である。
【００１６】
以下、本実施例における売上金入金機について、図面を参照して説明する。
【００１７】
図１は、売上金入金機の構成例を側面から示した図である。売上金入金機１は、紙幣について入金処理を行う紙幣処理部１００と、硬貨について入金処理を行う硬貨処理部１１０と、貨幣カセットを収納する貨幣カセット収納部１２１と、操作部および表示部を備える操作表示部１３１と、入金情報および装置情報等を明細票として出力する明細票印字部１３２と、操作時に使用するカードを読取るカード読取部１３３とを備えている。
【００１８】
紙幣処理部１００は、装置外から紙幣が投入される紙幣入金部１０１と、投入された紙幣を一枚ずつ分離して繰り出す紙幣繰出部１０２と、紙幣繰出部１０２で繰り出された紙幣を搬送する紙幣搬送部１０３と、紙幣を識別する紙幣識別部１０４と、紙幣識別部１０４の識別結果に基づいて紙幣を振分ける紙幣振分け部１０５と、紙幣識別部１０４の識別結果から異常な紙幣と判定された紙幣を装置外に排出させる紙幣リジェクト部１０６と、紙幣識別部１０４の識別結果から正常な紙幣と判定された紙幣を一時保留させる紙幣一時保留部１０７と、紙幣一時保留部１０７の開閉を制限する紙幣一時保留部ロック機構１０８と、紙幣一時保留部１０７に集積された紙幣が所定の枚数に達した場合、または操作表示部１３１において入金確定操作をした場合に紙幣を収納する紙幣カセット１０９とを備えている。紙幣一時保留部１０７は、上述の一時保留機能の他、操作表示部１３１において入金キャンセル操作をした場合に紙幣を返却する紙幣返却部としての機能も有している。
【００１９】
硬貨処理部１１０は、装置外から硬貨が投入される硬貨入金部１１１と、投入された硬貨を一枚ずつ分離して繰り出す硬貨繰出部１１２と、硬貨繰出部１１２で繰り出された硬貨を搬送する硬貨搬送部１１３と、硬貨を識別する硬貨識別部１１４と、硬貨識別部１１４の識別結果に基づいて硬貨を振分ける硬貨振分け部１１５と、硬貨識別部１１４の識別結果から異常な硬貨と判定された硬貨を装置外に排出させる硬貨リジェクト部１１７と、硬貨識別部１１４の識別結果から正常な硬貨と判定された硬貨を一時保留させる硬貨一時保留部１１６と、操作表示部１３１において入金キャンセル操作をした場合に硬貨を返却する硬貨返却部１１８と、硬貨返却部１１８の開閉を制限する硬貨返却部ロック機構１１９と、硬貨一時保留部１１６に集積された硬貨が所定の枚数に達した場合、または操作表示部１３１において入金確定操作をした場合に硬貨を収納する硬貨カセット１２０とを備えている。
【００２０】
紙幣一時保留部１０７および硬貨返却部１１８は、それぞれ売上金入金機１の前面側（図１の左側）に開放もしくは引き出すことが可能であるが、紙幣一時保留部ロック機構１０８および硬貨返却部ロック機構１１９によって、装置前面側への開放もしくは引き出しが制限される。なお、操作表示部１３１において入金キャンセル操作をした場合、紙幣一時保留部ロック機構１０８および硬貨返却部ロック機構１１９のロックを解除することで、紙幣一時保留部１０７および硬貨返却部１１８から、紙幣および硬貨を取り出すことが可能となる。
【００２１】
貨幣カセット収納部１２１は、売上金入金機１の前面側に引き出すことが可能である（図１破線部）。また、貨幣カセット収納部１２１は、硬貨カセット１２０を収納する硬貨カセット収納空間１２２と、紙幣カセット１０９を収納する紙幣カセット収納空間１２３と、貨幣カセット収納部１２１の前面側への引き出しを制限する貨幣カセット収納部ロック機構１２４と、貨幣カセット収納部１２１が売上金入金機１にセットされたことを検知する貨幣カセット収納部セット検知センサ１２５、および硬貨カセットセット検知センサ１２６、紙幣カセットセットセンサ検知１２７、カセット満杯検知センサ１２８を備えている。
【００２２】
操作表示部１３１は、一般的にＬＣＤ（Ｌｉｑｕｉｄ  Ｃｒｙｓｔａｌ  Ｄｉｓｐｌａｙ）が用いられているが、本実施例の操作表示部１３１もＬＣＤを用いるものとする。なお、本実施例では操作部と表示部とを兼用したタッチパネルとして説明するが、操作部と表示部とを別途設けた構成としても良い。
【００２３】
また、カード読取部１３３は、一般的に磁気カードリーダやＲＦＩＤ（Ｒａｄｉｏ  Ｆｒｅｑｕｅｎｃｙ  ＩＤｅｎｔｉｆｉｃａｔｉｏｎ）カードリーダ等が用いられているが、本実施例のカード読取部１３３はＲＦＩＤカードリーダとする。
【００２４】
図２は売上金入金機の機能ブロック図である。売上金入金機１には、上述した紙幣処理部１００、硬貨処理部１１０、貨幣カセット収納部１２１、操作表示部１３１、明細票印字部１３２、カード読取部１３３の他に、警備会社のホストコンピュータ等の外部装置と情報の授受を行う通信処理部１３４と、各種の処理に必要な情報を記憶するメモリ等の記憶部１３５と、各部を制御する制御部１３６とを備えている。これらの紙幣処理部１００、硬貨処理部１１０、貨幣カセット収納部１２１、操作表示部１３１、明細票印字部１３２、カード読取部１３３、通信処理部１３４は、制御部１３６の制御の下に必要な動作を行う。
【００２５】
図３は、売上金入金機１の操作に使用するカードの例である。具体的には、売上金である貨幣を入金するときに店舗の担当者が使用する入金カード３０１、紙幣カセット１０９および硬貨カセット１２０の回収と装填をするときに警備会社の担当者もしくは店舗の運用管理責任者が使用する回収カード３０２、売上金である貨幣の入金額を集計するときに店舗の担当者が使用する集計カード３０３等がある。これらのカードは、一般的に磁気カードやＲＦＩＤカードが用いられているが、本実施例ではＲＦＩＤカードとする。
【００２６】
なお、本実施例では、店舗の担当者が使用するカード（入金カード３０１）と警備会社の担当者もしくは店舗の運用管理責任者が使用するカード（回収カード３０２）、店舗の管理者または担当者が使用するカード（集計カード３０３）とを別の物にすることにより、利用者の使用可能な機能を制限しているが、ＩＤおよびパスワードの入力等の他の方法を用いても良い。
【００２７】
図４は記憶部１３５に記憶されている重量算出テーブル４０１の内容を示す図である。各硬貨毎、１枚の重量および硬貨カセットが空の状態の重量が設定されている。
【００２８】
図５は、事前の装置の初期設定で実施する硬貨カセット収納重量を設定するフローであり、図６、７はそのときの画面表示の例である。
【００２９】
本設定は、売上金入金機の動作設定機能から呼び出される。まず、図６に示すような硬貨カセット重量設定画面６０１を操作部１３１に表示させ、重量の入力を要求する（ステップＳ５０１）。重量設定画面には、重量を入力する「数字」キー６０２、「入力終了」キー６０３、「キャンセル」キー６０４を備えている。設定を行う係員等は、「数字」キー６０２を用いて硬貨カセットの重量を入力する（ステップＳ５０２）。入力の途中で「キャンセル」キー６０４が押されたことを検知すると（ステップＳ５０３：Ｙ）、本設定は中止（ステップＳ５０９）となる。「キャンセル」キー６０４が押下されない場合は、「入力終了」キー６０３が押下されるまで係員等によって適切な数値が入力される（ステップＳ５０１〜Ｓ５０４）。
【００３０】
「入力終了」キー６０３が押されたことを検知した場合（ステップＳ５０４：Ｙ）、図７に示すように入力された重量値７０２を含む重量設定確認画面７０１を操作部１３１に表示させる（ステップＳ５０５）。重量設定確認画面７０１には、「設定」キー７０３、「キャンセル」キー７０４を備えている。が表示されている。「キャンセル」キー７０４が押されたことを検知すると（ステップＳ５０６：Ｙ）、本設定は中止（ステップＳ５０９）となる。「設定」キー７０３が押されたことを検知した場合（ステップＳ５０７：Ｙ）、硬貨カセット収納重量を記憶部１３５に記憶する（ステップＳ５０８）。
【００３１】
次に、売上金入金機１における処理について、説明する。
【００３２】
図８は、図３に示したカードを用いて各種処理を開始する初期処理を示すフローチャートである。制御部１３６は、図９に示すようなスタンバイ画面９０１を操作表示部１３１に表示させ、カードのセットを受け付ける（ステップＳ８０１）。カードがセットされた場合（ステップＳ８０１：Ｙ）、カード読取部１３３にてカードの種類を読み取り（ステップＳ８０２）、セットされたカードの種類に応じた処理を開始する。以下、（１）入金カード３０１がセットされたときに行われる売上金の入金処理、（２）回収カード３０２がセットされた時に行われる貨幣カセットの回収と装填、（３）集計カード３０３がセットされたときに行われる入金金額および回収金額の集計処理について詳細に説明する。
【００３３】
（１）売上金の入金処理
図１０は、売上金入金機１の売上金の入金処理を示すフローチャートである。制御部１３６は、図１１に示すような売上金投入指示画面１１０１を操作表示部１３１に表示させ、店舗の担当者に、売上金である紙幣および硬貨を紙幣入金部１０１および硬貨入金部１１１に投入するように指示する（ステップＳ１００１）。売上金投入指示画面１１０１には、「投入完了」キー１１０２が表示されており、「投入完了」キー１１０２が押されたことを検知する（ステップＳ１００２）。
【００３４】
「投入完了」キー１１０２が押されたことを検知した場合（ステップＳ１００２：Ｙ）、制御部１３６は、紙幣繰出し部１０２を制御して紙幣を１枚ずつ繰出し、紙幣搬送路１０３を制御して紙幣識別部１０４まで紙幣を搬送させると共に、硬貨繰出し部１１２を制御して硬貨を１枚ずつ繰出し、硬貨搬送路１１３を制御して硬貨識別部１１４まで硬貨を搬送させ、紙幣および硬貨の識別を行う（ステップＳ１００３）。また、制御部１３６は、図１２に示すような処理中である旨を示す処理中画面１２０１を操作表示部１３１に表示させる。
【００３５】
紙幣識別部１０４および硬貨識別部１１４における識別の結果、正常と判断された場合（ステップＳ１００３：Ｙ）、紙幣は紙幣一時保留部１０７に搬送され、硬貨は硬貨一時保留部１１６に搬送される（ステップＳ１００４）。このとき、紙幣識別部１０４および硬貨識別部で正常と判断された紙幣および硬貨は、同時にその金種と数量が識別され記憶部１３５に記憶される。制御部１３６は紙幣および硬貨の金種別の収納枚数から合計入金金額（ここでは、紙幣一時保留部１０７および硬貨一時保留部１１６へ搬送された貨幣の金種と枚数、および合計金額）を算出することができる。
【００３６】
一方、紙幣識別部１０４および硬貨識別部１１４における識別の結果、異常と判断された場合（ステップＳ１００３：Ｎ）、紙幣は紙幣リジェクト部１０６に搬送され、硬貨は硬貨リジェクト部１１７に搬送される（ステップＳ１００５）。ステップＳ１００３〜Ｓ１００５の各処理は、紙幣投入部１０３および硬貨投入部１１１に紙幣および硬貨が無くなるまで行われる（ステップＳ１００６：Ｙ）。
【００３７】
紙幣および硬貨の識別および搬送の終了後、制御部１３６は、図１３に示すような計数済みの金額１３０２を含む入金額表示画面１３０１を操作表示部１３１に表示させ（ステップＳ１００７）、入金処理の確定あるいはキャンセルを受け付ける（ステップＳ１００８）。
【００３８】
入金額表示画面１３０１において、「確定」キー１３０３が押された場合（ステップＳ１００８：Ｙ）、紙幣一時保留部１０７内の紙幣を紙幣カセット１２５に搬送させるとともに、硬貨一時貯留部１１６内の硬貨を硬貨カセット１２０に搬送させる（ステップＳ１００９）。紙幣および硬貨の移動終了後、制御部１３６は、通信部１３４に対して、入金金額等の入金処理に関する情報を警備会社のホストコンピュータに送信させる制御を行う（ステップＳ１０１０）。また、制御部１３６は、明細票印字部１３２に対して、入金処理に関する情報を明細票に印字させる制御を行う（ステップＳ１０１１）。さらに、制御部１３６は、入金金額を記憶部１３５内に記憶し、後述する売上金の集計処理に用いる（ステップＳ１０１２）。
【００３９】
図１４は、ステップＳ１００９における、硬貨を硬貨カセット１２０に搬送させる処理の詳細を示したフローチャートである。硬貨カセット１２０に硬貨が収納され、制御部１３６は、記憶部１３５に記憶してある入金された硬貨金種別枚数、および、重量算出テーブル４０１より硬貨収納重量を算出し（ステップＳ１４０１）、算出した重量を記憶部１３５に記憶されている硬貨カセット重量と加算する（ステップＳ１４０２）。その際、最初の収納時のみ各硬貨毎および硬貨カセット重量テーブル４０１に設定されている空の硬貨カセットの重量を加算する。
【００４０】
また、算出した硬貨カセット重量を記憶部１３５に記憶する（ステップＳ１４０３）。硬貨カセット重量が、予め設定した硬貨カセット重量設定値を超えた場合（ステップＳ１４０４：Ｙ）、制御部１３６は、図１５Ａに示すようなフル警告画面１５０１Ａを操作表示部１３１に表示させ、入金処理を中止させる（ステップＳ１４０６）。このとき、図１５Ｂに示すような警告画面１５０１Ｂにて、硬貨カセットが事前に設定した最大重量を超えたために入金を中止することを明示してもよい。
【００４１】
なお、カセット満杯検知センサ１２８によって硬貨を検出した場合（ステップＳ１４０５：Ｙ）も同様に、制御部１３６は、図１５Ａに示すようなフル警告画面１５０１Ａを操作表示部１３１に表示させ、入金処理を中止させる（ステップＳ１４０６）。
【００４２】
図６のフローチャートに戻って説明するが、図１３の入金金額確認画面１３０１において、「キャンセル」キー１３０４が押された場合（ステップＳ１００８：Ｎ）、制御部１３６は、硬貨一時保留部１１６内の硬貨を硬貨返却部１１８に搬送させる（ステップＳ１０１３）。その後、紙幣一時保留部ロック機構１０８および硬貨返却部ロック機構１１９のロックを解除する（ステップＳ１０１４）。上記ロックの解除によって、店舗の担当者は紙幣一時保留部１０７内の紙幣と硬貨返却部１１８内の硬貨を取り出すことが可能になる。
【００４３】
以上説明した、硬貨カセット重量が設定値を超えた場合の処理については、各種の変形例が実施可能である。例えば、硬貨カセット重量が設定値を超えた場合であっても、硬貨カセットの最大収容枚数に達していない場合（硬貨カセットに、物理的な硬貨の収納スペースが残存している場合）、ステップＳ１４０６における警告画面の代わりに図１５Ｃに示すような確認画面１５０１Ｃを表示し、利用者に取引中止（中止ボタン１５０２Ｃを押下）するか、強制入金（継続ボタン１５０３Ｃを押下）を選択させるようにしてもよい。このとき、強制入金した場合は、最終的に硬貨カセットの重量がどのくらいになったか、あるいは、設定値をどのくらい超過したかを画面表示して利用者に通知するようにしてもよい。
【００４４】
あるいは、硬貨カセット重量が設定値に近づいてきた場合、取引開始画面において例えば図１５Ｄに示すような警告画面１５０１Ｄを表示し、予め入金可能な硬貨の金種と枚数を利用者に通知するようにしてもよい。これにより、利用者は持参した貨幣が全額入金できるか否かを事前に把握することができ、前述の一部入金等の方法を実施しない場合に、入金処理を途中まで実施してから中止するといった不必要な操作を行う必要がなくなり、利用者にとって操作性のよい入金機を提供することができる。
【００４５】
（２）貨幣カセットの回収と装填
図１６は、貨幣カセットの回収と装填を示すフローチャートである。制御部１３６は、貨幣カセット収納部ロック機構１２４のロック解除を行う（ステップＳ１６０１）。また、制御部１３６は、図１７に示すような貨幣カセット収納部１２１を引き出す旨を指示する、収納部引出指示画面１７０１を操作表示部１３１に表示させる（ステップＳ１６０２）。
【００４６】
以下、貨幣カセットの回収と装填の一例として、売上金が収納された硬貨カセット１２０（以下、説明上１２０ａとする）の回収と、空の硬貨カセット１２０（以下、説明上１２０ｂとする）の装填について詳細に説明する。制御部１３６は、硬貨カセットセット検知センサ１２６により、売上金が収納された硬貨カセット１２０ａが抜き取られたことを検知した場合（ステップＳ１６０３：Ｙ）、警備会社の担当者は、硬貨カセット１２０ａに代えて、空の硬貨カセット１２０ｂを売上金入金機１に装填することが可能となる。
【００４７】
制御部１３６は、硬貨カセットセット検知センサ１２６により、硬貨カセット１２０ｂが装填されたことを検知した場合（ステップＳ１６０４：Ｙ）、図１８に示すような貨幣カセット収納部１２１をセットする旨を指示する、収納部セット指示画面１８０１を操作表示部１３１に表示させる（ステップＳ１６０５）。
【００４８】
その後、制御部１３６は、貨幣カセット収納部セット検知機構１２５により、貨幣カセット収納部がセットされたことを検知した場合（ステップＳ１６０６：Ｙ）、貨幣カセット収納部ロック機構１２４をロックする（ステップＳ１６０７）。
【００４９】
硬貨カセット１２０の回収および装填の終了後、制御部１３６は、通信部１３４に対して、回収金額を含む回収情報を警備会社のホストコンピュータに送信させる制御を行う（ステップＳ１６０８）。なお、回収金額とは、入金処理毎に記憶部１３５に記憶された入金金額の合計金額のことである。また、制御部１３６は、明細票印字部１３２に対して、回収情報を明細票に印字させる制御を行い（ステップＳ１６０９）、記憶部１３５に記憶された回収金額を０円にリセットする（ステップＳ１６１０）。
【００５０】
また、硬貨カセット重量を０ｇにリセットする（ステップＳ１６１１）。硬貨カセット重量をリセットする際、０ｇではなく、空の硬貨カセット重量を設定してもよい。その際は、硬貨収納時の硬貨カセット重量算出時は、収納した硬貨の重量のみを加算することで良い。
【００５１】
（３）入金金額および回収金額の集計処理
図１９は、入金金額および回収金額の集計処理を示すフローチャートである。制御部１３６は、前回の集計処理の実施時から今回の集計処理までの間に行われた、入金金額および回収金額の集計を行う（ステップＳ１９０１）。その後、制御部１３６は、通信部１３４に対して、集計された入金金額および回収金額を警備会社のホストコンピュータに送信させる制御を行う（ステップＳ１９０２）。また、制御部１３６は、明細票印字部１３２に対して、集計された入金金額および回収金額を明細票に印字させる制御を行う（ステップＳ１９０３）。集計された入金金額および回収金額は、上記明細票印字処理の完了後に、記憶部１３５から消去することが可能であるが、店舗側の運用次第により消去又は維持を選択しても良い。
【実施例２】
【００５２】
実施例１の場合、硬貨カセット収納重量値は内部情報としてのみ利用しており、売上金入金機利用者が確認することはできない。本実施例では、硬貨カセット収納重量値を売上金入金機回収担当者が確認しながら、好ましい重量時に回収することを可能とする。
【００５３】
以下、本実施例における売上金入金機について図面を参照して説明する。
【００５４】
（１）売上金の入金処理
実施例１と同様であるため、詳細な説明は省略する。
【００５５】
（２）貨幣カセットの回収と装填
図２０は、貨幣カセットの回収と装填を示すフローチャートである。回収・装填実施に先立って、硬貨カセットが既にフルの状態になっているかの判定を行う（ステップＳ２００１）。硬貨カセットがフルではない場合（ステップＳ２００１：Ｎ）、図２１に示すような硬貨カセット収納重量画面２１０１を操作表示部１３１に表示させる（ステップ：Ｓ２００２）。硬貨カセット収納重量画面２１０１には、記憶部１３５に記録された硬貨カセット収納重量２１０２、「実行」キー２１０３、「キャンセル」キー２１０４が表示されており、「実行」キー２１０３が押されたこと（ステップＳ２００３：Ｙ）、および「キャンセル」キー２１０４が押されたこと（ステップＳ２００３：Ｎ）を検知する。
【００５６】
「実行」キー２１０３が押されたことを検知した場合（ステップＳ２００３：Ｙ）、制御部１３６は、硬貨カセットロック機構３０４のロック解除と貨幣カセット収納部ロック機構１２４のロック解除とを行う（ステップＳ２００４）。また、制御部１３６は、図１７に示すような貨幣カセット収納部１２１を引き出す旨を指示する、収納部引出指示画面１７０１を操作表示部１３１に表示させる（ステップＳ２００５）。
【００５７】
売上金が収納された硬貨カセット１２０（以下、説明上１２０ａとする）の回収と、空の硬貨カセット２００（以下、説明上１２０ｂとする）の装填について詳細に説明する。制御部１３６は、硬貨カセットセット検知センサ１２６により、売上金が収納された硬貨カセット１２０ａが抜き取られたことを検知した場合（ステップＳ２００６：Ｙ）、警備会社の担当者は、硬貨カセット１２０ａに代えて、空の硬貨カセット１２０ｂを売上金入金機１に装填することが可能となる。
【００５８】
制御部１３６は、硬貨カセットセット検知センサ１２６により、硬貨カセット１２０ｂが装填されたことを検知した場合（ステップＳ２００７：Ｙ）、図１８に示すような貨幣カセット収納部１２１をセットする旨を指示する、収納部セット指示画面１８０１を操作表示部１３１に表示させる（ステップＳ２００８）。
【００５９】
その後、制御部１３６は、貨幣カセット収納部セット検知機構１２５により、貨幣カセット収納部がセットされたことを検知した場合（ステップＳ２００９：Ｙ）、貨幣カセット収納部ロック機構１２４をロックする（ステップＳ２０１０）。
【００６０】
硬貨カセット１２０の回収および装填の終了後、制御部１３６は、通信部１３４に対して、回収金額を含む回収情報を警備会社のホストコンピュータに送信させる制御を行う（ステップＳ２０１１）。なお、回収金額とは、入金処理毎に記憶部１３５に記憶された入金金額の合計金額のことである。また、制御部１３６は、明細票印字部１３２に対して、回収情報を明細票に印字させる制御を行い（ステップＳ２０１２）、記憶部１３５に記憶された回収金額を０円にリセットする（ステップＳ２０１３）。また、硬貨カセット収納重量を０ｇにリセットする（ステップＳ２０１３）。
【００６１】
（３）入金金額および回収金額の集計処理
実施例１と同様であるため、詳細な説明は省略する。
【００６２】
以上、本発明の実施例について図面を用いて説明したが、本発明は上記した実施例に限定されるものではなく、他の構成の追加・削除・置換をした様々な変形例が含まれていても良い。例えば、上記実施例では、回収・装填操作時に硬貨カセット重量を表示していたが、スタンバイ画面９０１へ硬貨カセット重量を表示することや、重量によるインジケータを表示することで、通常の状態で硬貨カセット重量を確認可能とする構成としても良い。
【符号の説明】
【００６３】
１：売上金入金機
１００：紙幣処理部
１０１：紙幣入金部
１０２：紙幣繰出部
１０３：紙幣搬送部
１０４：紙幣識別部
１０５：紙幣振分け部
１０６：紙幣リジェクト部
１０７：紙幣一時保留部
１０８：紙幣一時保留部ロック機構
１０９：紙幣カセット
１１０：硬貨処理部
１１１：硬貨入金部
１１２：硬貨繰出部
１１３：硬貨搬送部
１１４：硬貨識別部
１１５：硬貨振分け部
１１６：硬貨リジェクト部
１１７：硬貨一時保留部
１１８：硬貨返却部
１１９：硬貨返却部ロック機構
１２０：硬貨カセット
１２１：貨幣カセット収納部
１２２：硬貨カセット収納空間
１２３：紙幣カセット収納空間
１２４：貨幣カセット収納部ロック機構
１２５：貨幣カセット収納部セット検知センサ
１２６：硬貨カセットセット検知センサ
１２７：紙幣カセットセット検知センサ
１３１：操作表示部
１３２：明細票印字部
１３３：カード読取部
１３４：通信処理部
１３５：記憶部
１３６：制御部
３０１：入金カード
３０２：回収・装填カード
３０３：集計カード
４０１：各硬貨毎および硬貨カセット重量テーブル
６０１：硬貨カセット収納重量入力画面
７０１：硬貨カセット収納重量設定確認画面
９０１：スタンバイ画面
１１０１：売上金投入指示画面
１２０１：処理中画面
１３０１：入金額表示画面
１５０１：フル警告画面
１７０１：収納部引出指示画面
１８０１：収納部セット指示画面
【図１】
2015108909.tif 000003
【図２】
2015108909.tif 000004
【図３】
2015108909.tif 000005
【図４】
2015108909.tif 000006
【図５】
2015108909.tif 000007
【図６】
2015108909.tif 000008
【図７】
2015108909.tif 000009
【図８】
2015108909.tif 000010
【図９】
2015108909.tif 000011
【図１０】
2015108909.tif 000012
【図１１】
2015108909.tif 000013
【図１２】
2015108909.tif 000014
【図１３】
2015108909.tif 000015
【図１４】
2015108909.tif 000016
【図１５Ａ】
2015108909.tif 000017
【図１５Ｂ】
2015108909.tif 000018
【図１５Ｃ】
2015108909.tif 000019
【図１５Ｄ】
2015108909.tif 000020
【図１６】
2015108909.tif 000021
【図１７】
2015108909.tif 000022
【図１８】
2015108909.tif 000023
【図１９】
2015108909.tif 000024
【図２０】
2015108909.tif 000025
【図２１】
2015108909.tif 000026